(57)【要約】【課題】  プロジェクタなどの表示装置に情報を表示中の発表者やその表示の状況に応じて、各自のPCから受信した操作コマンドの実行を制限する。【解決手段】  プロジェクタの表示状況とその表示状況に応じて、このプロジェクタの操作が可能か否かを判定するための情報を記憶し、この記憶に基づいてある機器が要求するその操作を認めるか否かを判定する判定部とを備える。【選択図】  図３
2005292500.tif 000002
【特許請求の範囲】
【請求項１】
他の機器から表示すべきデータを受信して、該データを表示する表示装置であって、
前記表示装置を操作するための操作コマンドを他の機器から受信する受信手段と、
前記操作コマンドが示す操作について実行可能か否かを示す判定条件を取得する判定条件取得手段と、
前記表示装置が表示中のデータの表示状況を取得する表示状況取得手段と、
前記判定条件取得手段が取得した判定条件及び前記表示状況取得手段により取得した表示状況に基づいて、前記操作コマンドが示す操作が可能か否かを判定する判定手段と、
前記判定手段で操作可能と判定された場合に、表示のために前記操作コマンドが示す操作を実行する実行手段と
を備えることを特徴とする表示装置。
【請求項２】
前記判定条件取得手段は、前記判定条件を記憶する記憶手段をさらに備え、
前記記憶手段に記憶された記憶情報を読み出すことで判定条件を取得することを特徴とする、請求項１に記載の表示装置。
【請求項３】
前記判定条件取得手段は、前記記憶手段に記憶する判定条件を入力するための入力手段をさらに備えることを特徴とする、請求項２に記載の表示装置。
【請求項４】
前記判定条件取得手段は、
他の機器に問い合わせることで前記判定条件を取得することを特徴とする、請求項１に記載の表示装置。
【請求項５】
前記判定条件取得手段は、
前記表示すべきデータから、該データと共に受信した前記判定条件を取得することを特徴とする、請求項１に記載の表示装置。
【請求項６】
前記判定手段が判定した結果を前記表示装置に表示する表示手段をさらに備えたことを特徴とする、請求項１に記載の表示装置。
【請求項７】
ある操作コマンドを他の機器から受信することで操作が可能な、他の機器から表示すべきデータを受信して表示する表示装置の表示方法であって、
前記操作コマンドが示す操作について実行可能か否かを示す判定条件を取得し、
前記表示装置が表示中のデータの表示状況を取得し、
取得した判定条件及び表示状況に基づいて、前記操作コマンドが示す操作が可能か否かを判定し、
操作可能と判定された場合に、前記操作コマンドが示す操作を実行して表示する
ことを特徴とする表示方法。
【請求項８】
判定条件を取得する際、前記判定条件を他の機器に問い合わせることを特徴とする請求項７に記載の表示方法。
【請求項９】
判定条件を取得する際、前記表示すべきデータと共に受信した情報から、前記判定条件を抽出することを特徴とする請求項７に記載の表示方法。
【請求項１０】
ある操作コマンドを他の機器から受信することで操作が可能な、他の機器から表示すべきデータを受信して表示する表示装置の表示プログラムであって、
前記操作コマンドが示す操作について実行可能か否かを示す判定条件を取得するステップと、
前記表示装置が表示中のデータの表示状況を取得するステップと、
取得した判定条件及び表示状況に基づいて、前記操作コマンドが示す操作が可能か否かを判定するステップと、
操作可能と判定された場合に、前記操作コマンドが示す操作を実行して表示するステップと
を有することを特徴とする計算機で実行可能な表示プログラム。
【請求項１１】
判定条件を取得するステップにおいて、前記判定条件を他の機器に問い合わせるステップをさらに有することを特徴とする請求項１０に記載の表示プログラム。
【請求項１２】
判定条件を取得するステップにおいて、前記表示すべきデータと共に受信した情報から、前記判定条件を抽出するステップをさらに有することを特徴とする請求項１０に記載の表示プログラム。
【発明の詳細な説明】
【技術分野】
【０００１】
本発明は、他の装置から受信した表示データを表示する表示装置であって、特に他の機器から操作が可能な表示装置に関する。
【背景技術】
【０００２】
会議やプレゼンテーションで、プロジェクタを用いてスクリーンに画像を投影しながら説明することが多くなった。プロジェクタを用いたプレゼンテーションはその場の出席者全員で画面を見ながら議事進行が可能であるが、反面発表者が換わるたびにケーブルのつなぎ換えが必要になるなど不便があった。このため無線による通信媒体を用いて表示すべき画像を転送する無線LANプロジェクタが登場した。
【０００３】
このときプロジェクタは画像を表示するだけでなく、画面の位置あわせやフォーカス調整などプロジェクタ自体の制御が必要になる。従来では赤外線を用いたリモコンが使われる場合が多い。発表者はプロジェクタの操作が必要になるたびに、このようなリモコンをやり取りしながら発表することになるが、発表者は各人の発表用のPCを操作しながらさらにリモコンを受け取り操作しなければならず負担を強いられる。
【０００４】
このリモコンによる操作を各人のPC上から行うことができればこの負担を軽減することができるが、逆に誰でも操作が出来てしまうので不都合が起こる場合がある。このため予め定めた住宅内の機器の制御指示と所定の機器とを関連付けて、その関連付けに応じてその機器の操作ができるか否かを判定する制御方法が提案されている（特許文献１を参照）。
【特許文献１】特開２００２−３５４５５７公報
【発明の開示】
【発明が解決しようとする課題】
【０００５】
発表者の各PCに、画像の表示先のプロジェクタを操作するためのリモコン機能を持たせた場合に、各自が常にリモコン操作が可能あるいは予め定めた特定の機器のみを操作出来ることとすると、プレゼンテーション中に妨害を受けたりあるいは発表者が必要なときに操作が出来ないといった、発表者にとっての進行に不都合が生じる場合がある。
【０００６】
本発明は上記の問題に鑑みてなされたものであり、プロジェクタなどの表示装置に情報を表示中の発表者やその表示の状況に応じて、各自のPCから受信した表示に関する操作コマンドの実行を制限するものである。
【課題を解決するための手段】
【０００７】
本発明にかかる表示装置とすれば、
表示装置を操作するための操作コマンドを他の機器から受信する受信手段と、前記操作コマンドが示す操作について実行可能か否かを示す判定条件を取得する判定条件取得手段と、前記表示装置が表示中のデータの表示状況を取得する表示状況取得手段と、前記判定条件取得手段が取得した判定条件及び前記表示状況取得手段により取得した表示状況に基づいて、前記操作コマンドが示す操作が可能か否かを判定する判定手段と、前記判定手段で操作可能と判定された場合に、表示のために前記操作コマンドが示す操作を実行する実行手段とを備えることを特徴とする表示装置が提供される。
【０００８】
また本発明にかかる表示方法とすれば、
操作コマンドが示す操作について実行可能か否かを示す判定条件を取得し、表示中のデータの表示状況を取得し、取得した判定条件及び表示状況に基づいて、前記操作コマンドが示す操作が可能か否かを判定し、操作可能と判定された場合に、前記操作コマンドが示す操作を実行して表示することを特徴とする表示方法が提供される。
加えて上記表示装置を計算機で実現する表示プログラムが提供される。
【発明の効果】
【０００９】
複数のリモコンから受信したプロジェクタなどの表示装置の表示に関する操作コマンドについて、受信した操作コマンドの実行をこの表示装置に情報を表示中の発表者やその表示の状況に応じて制限することができる。
【発明を実施するための最良の形態】
【００１０】
（第１の実施形態）
図１は、本実施形態における表示システムの一例を示す図である。図１には、プロジェクタ１０１、ノートPC１０２及びノートPC１０３が示されている。
【００１１】
プロジェクタ１０１は、他の機器から画像などの表示情報を受信してスクリーンに投影するまたは知らしめる機能を有している。本実施形態ではプロジェクタ１０１はスクリーンを備えたプロジェクタ装置を想定しているが、表示ディスプレイを備えたテレビモニタのごとき表示装置またはスピーカを備えたこれらの装置であっても良い。さらに、受信した情報の表示だけではなく、電球のオン、オフ、表示画面の拡大、縮小、表示画面の入力、出力先の切替、スピーカの音量調節、操作メニューの表示・非表示といった操作を受け付けることができる。
【００１２】
ノートPC１０２は、プロジェクタ１０１に情報を表示させるために、この表示すべき画像などの情報を送信する機能を有する。この他にもプロジェクタ１０１を操作するためのコマンドを送信する機能を備えている。
【００１３】
ノートPC１０３は、プロジェクタ１０１を操作するためのコマンドを送信する機能を備えている。ノートPC１０３は、ノートPC１０２と同じように表示すべき画像などの情報をプロジェクタ１０１に送信する機能を備えていてもかまわない。
【００１４】
そしてプロジェクタ１０１と、ノートPC１０２またはノートPC１０３とは、ネットワークを介して通信することが可能である。ここでいうネットワークは有線、無線等いずれの通信媒体を用いたものであってもかまわないが、本実施形態では無線LANを例に説明することとする。
【００１５】
図２は、ノートPC１０２からプロジェクタ１０１へ送信する操作コマンドを、このノートPCの利用者が指示するための画面の一例を示している。ノートPC１０２の画面２０１に、仮想リモコン２０２を表示し、利用者は仮想リモコン２０２に表示されたボタンをクリックすることにより操作コマンドを入力する。仮想リモコン２０２には、プロジェクタ１０１の投影用電球のオン・オフ、入力元の切替、出力音量調節、表示画面サイズの変更、表示画面の表示位置の移動といったボタンが示されている。仮想リモコン２０２は本実施形態ではノートPC１０２上で稼動するプログラムとして実装されている。
【００１６】
ノートPC１０３も同様の仮想リモコン２０２を備えているものとする。
【００１７】
このようにプロジェクタ１０１を操作するためのリモコンをプログラムとして用意すると、リモコン装置にとらわれずにノートPC１０２やノートPC１０３といった各自が所有するPCからプロジェクタ１０１の操作が可能となる。
【００１８】
図３は、本実施形態におけるプロジェクタ１０１のブロック構成の一例を示す図である。図３には、送受信部３０１、表示データ生成部３０２、表示部３０３、判定条件記憶部３０４、条件設定部３０５、判定部３０６及びコマンド実行部３０７が示されている。
【００１９】
送受信部３０１は、ノートPC１０２やノートPC１０３と、表示する情報の受信及びプロジェクタ１０１の操作コマンドを受信するなどの通信機能を有している。通信に使用する通信媒体は、プロジェクタ１０１がノートPCのような他の通信機器と通信可能なものであれば有線、無線、その他いずれの媒体であってもかまわない。
【００２０】
表示データ生成部３０２は、送受信部３０１が受信した画像などの情報をもとに、表示部３０３に表示するデータを生成する機能を有する。ここでいう表示データとは、その場に居合わせた人に知らしめるべき、画像や音声、音楽などの音を含む情報である。
【００２１】
本実施形態のプロジェクタ１０１は、たとえばJPEG、GIF、ビットマップなどの様々な形式の画像データを受け入れることが可能である。プロジェクタ１０１はこれら画像データを変換し、このプロジェクタが表示可能な画像データを生成する。このような画像データの変換に限らず、たとえば表示する画像を拡大、縮小した画像データを生成する。あるいは、ある画像を複数重ね合わせて表示する場合の配置の前後関係に対応した画像データを生成する場合も含まれる。表示すべき画像の色調調整や、ある表示効果を加えた画像データを生成する場合を含んでも良い。ここに示した画像データの生成例はあくまで一例であって、これらに限定されるものではない。
【００２２】
音データであれば再生音量調節や再生可能な音声データに変換する場合などが考えられる。さらに表示中の画像データに合わせて再生タイミングや再生速度を調整する場合も含まれる。
【００２３】
表示データ生成部３０２は、その表示用の入力データをプロジェクタ１０１に装備された、送受信部３０１以外の外部入力端子などのからも受け取ることができるように構成されている。
【００２４】
表示部３０３は、表示データ生成部３０２が生成した表示データを表示する機能を有している。本実施形態ではプロジェクタを想定しているため、スクリーンに表示画像を投影する光学系に相当する。たとえばテレビモニタであれば液晶ディスプレイ、ブラウン管に相当する。あるいは音情報を再生するスピーカに該当する。
【００２５】
判定条件記憶部３０４は、プロジェクタ１０１が表示しようとしているある情報を表示すべきか否か、受信した操作コマンドを実行すべきか否かを判定するための条件の情報を記憶する。
【００２６】
条件設定部３０５は、判定条件記憶部３０４が記憶する条件を利用者もしくは発表者自身が入力するための機能を有する。判定条件記憶部３０４にはたとえばプロジェクタ１０１に備えられたキーボードが考えられる。あるいはキーボードを備えたリモコンからの赤外線等による信号を受信して、判定条件記憶部３０４に記憶するようなものであっても良い。
【００２７】
判定部３０６は、判定条件記憶部３０４に記憶された判定条件に基づき、送受信部３０１から受け取った操作コマンド、及び表示データ生成部３０２より受け取った表示状況に関する情報とから、この操作コマンドの実行可否等について判定する機能を有する。
【００２８】
コマンド実行部３０７は、判定部３０６で実行可能と判定された操作コマンドを実行する機能を有する。たとえば操作コマンドに基づいて、必要とする操作を表示データ生成部３０２に指示する。この指示を受け取った表示データ生成部３０２は、たとえば表示データの拡大、縮小、音声の再生音量調節などを行う。
【００２９】
図４は、本実施形態におけるプロジェクタ１０１のフロー図の一例を示す図である。まずノートPC１０２またはノートPC１０３から、送受信部３０１を介して操作コマンドを受信する（ステップＳ０１）。この操作コマンドを受信したとき、プロジェクタ１０１が表示中の画像が連続受信中の画像か否かを判断する（ステップＳ０２）。ここでいう連続受信中の画像とは、たとえばノートPC１０２を使用してプロジェクタ１０１に表示中の発表者が、このプロジェクタを連続して占有・表示すべき一連の画像ことである。本実施形態のような無線LANを介した通信が可能なプロジェクタでは、従来のケーブルのつなぎ換えが必要なプロジェクタとは異なり、同時期に複数の利用者から表示データや操作コマンドを受け付けることも可能となる。プレゼンテーションの内容によってはその発表者が発表中に関係の無い者から割り込まれたり、あるいは表示中の画像の表示をそのプレゼンテーションとは無関係に拡大、縮小されるなどの操作を受けるのは問題となる。よってプレゼンテーションの一連の表示を必要とする画像、つまり連続受信中の画像を表示中は、他からの割り込みや操作を受け付けないための対処が必要となる。
【００３０】
本実施形態のように構成すると、他からの干渉を受けたくない場合はその一連の表示データについては連続受信中とすることで、他からの干渉を柔軟に排除することが出来るようになる。ステップＳ０２で行うこの判断は、判定条件記憶部３０４に記憶された判定条件の情報と、表示中の画像についての表示データ生成部３０２から得られる情報とから、表示中の画像が連続受信中に相当するものかどうかを含む、操作を許すか否かを判定部３０６が判定する。
【００３１】
ステップＳ０２で、表示中の表示データが連続受信中のものであった場合は、受信した表示データを送信した機器が、現在表示中の機器と同一の装置から送信されたものであるか否かを、表示データ生成部３０２と送受信部３０１とから得られる情報に基づいて判定する（ステップＳ０３）。ステップＳ０１で受信した操作コマンドが、表示中の表示データの送信元と異なる場合は、この操作コマンドを実行することなく破棄して終了する。
【００３２】
ステップＳ０２で現在表示中の表示データが連続受信中でないか、または連続受信中であり、かつ、ステップＳ０３で表示中の表示データの送信元と操作コマンドの送信元が同一である場合には、ステップＳ０１で受信した操作コマンドをコマンド実行部３０７により実行する（ステップＳ０４）。同一であるか否かを判断するのは、たとえ連続受信中であっても自身のプレゼンテーション中には各種操作コマンドによるプロジェクタ１０１の操作が出来なければならないからである。
【００３３】
表示データ生成部３０２から得られる情報は、上記したような表示中の画像が連続受信中の表示データであるか、表示中の画像の送信元はどこかといった情報以外にも、たとえば現在表示中のデータを表示してからの経過時間、表示範囲、操作メニューの表示など様々な表示状況についての情報が考えられる。
【００３４】
たとえば上記したような連続受信中とすべき一連の画像の条件を、表示データ生成部３０２や送受信部３０１から得られる情報に基づいて判定条件記憶部３０４に記憶する条件を設定することが可能となり、プロジェクタ１０１に情報を表示中の発表者やその表示の状況に応じた柔軟な制限設定が可能となる。
【００３５】
図５は、本実施形態におけるプロジェクタ１０１の状態表示の一例である。本実施形態の判断の結果、ノートPC１０２といったある装置からリモコン操作が可能である場合に、その旨を表示画面に表示するようにしても良い。この表示はたとえば、プロジェクタ１０１の操作可能な装置が変化したとき、または操作可能状況を表示するための操作コマンドを受信した場合に表示する方法が考えられる。
【００３６】
このように構成すると操作可能な機器が予め分かるので、操作が出来ない機器にもかかわらず操作を試みてしまうという無駄な操作をさせることがない。
【００３７】
（第２の実施形態）
本実施形態は判定部３０６が判定に用いる判定条件の情報を、送受信部３０１を介して問い合わせるものである。
【００３８】
本実施形態は、第１の実施形態で説明した図１、図２、図４及び図５と同一であるため、本実施形態の異なる部分について詳しく説明する。
【００３９】
図６は、本実施形態におけるプロジェクタ１０１のブロック図の一例を示す図である。図６では、判定条件記憶部３０４及び条件設定部３０５が判定条件問合せ部３０８となっている。
【００４０】
判定条件問合せ部３０８は、プロジェクタ１０１が受信した表示データの表示及び操作コマンドの実行をすべきか否かを判定するための判定条件を、送受信部３０１を介して他の機器に問合せを行う機能を有する。ここでいう他の機器とは、表示中の表示データを送信した機器を想定しているが、このプロジェクタの表示や実行を制御する権限を与えられたそれ以外の送受信部３０１が通信可能な機器であってもかまわない。また判定条件問合せ部３０８は、判定部３０６が判定の都度問合せをしても良いし、一度問い合わせた判定条件を記憶しておき次に同じ問合せがあった際には記憶した判定条件を返すようにしても良い。
【００４１】
このように構成すると、予め判定条件を設定しなくとも判定の際に後から判定条件を与えることが可能となり、プロジェクタ１０１に情報を表示中の発表者やその表示の状況に応じたより柔軟な制限を可能とする条件設定が可能となる。
【００４２】
（第３の実施形態）
本実施形態は受信した画像情報を記憶する受信画像記憶部３０９を設け、判定部３０６が判定に用いる判定条件の情報を、受信した画像情報から取得するものである。
【００４３】
本実施形態は、第１の実施形態で説明した図１、図２、図４及び図５と同一であるため、本実施形態の異なる部分について詳しく説明する。
【００４４】
図７は、本実施形態におけるプロジェクタ１０１のブロック図の一例を示す図である。図７では、判定条件記憶部３０４及び条件設定部３０５が受信データ記憶部３０９となっており、また表示データ生成部３０２への表示データを受信データ記憶部３０９から取得するようになっている。
【００４５】
受信データ記憶部３０９は、送受信部３０１から受け取った画像等の表示データを記憶する。本実施形態の表示データは、たとえば画像の情報と併せて、操作コマンドの判定条件の情報を含むことが出来るようになっている。そして画像情報は表示データ生成部３０２へ送られ、一方、判定条件は判定部３０６に送られる。
【００４６】
後から受信し受信データ記憶部３０９に記憶した判定条件を、予め設定された判定条件もしくは以前に設定された判定条件と併用するようにしても良い。この場合、あとから受信して設定された判定条件を以降、優先的に有効としても良いし、重複する判定条件についてのみ設定する、あるいは同時に受信した表示データを表示している間のみ、その判定条件を適用するようにしても良い。これらの併用形態の選択は、操作コマンドとして適宜変えられることが望ましい。
【００４７】
このように構成すると、予め判定条件を設定しなくともプレゼンテーションの途中でも動的に判定条件を与えることが可能となり、プロジェクタ１０１に情報を表示中の発表者やその表示の状況に応じた柔軟な制限を可能とする条件設定が可能となる。
【００４８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４９】
【図１】第１の実施形態における表示システムの一例を示す図である。
【図２】第１の実施形態における仮想リモコンの一例を示す図である。
【図３】第１の実施形態におけるプロジェクタのブロック図の一例を示す図である。
【図４】第１の実施形態におけるプロジェクタのフロー図の一例を示す図である。
【図５】第１に実施形態における状況表示の一例を示す図である。
【図６】第２の実施形態におけるプロジェクタのブロック図の一例を示す図である。
【図７】第３の実施形態におけるプロジェクタのブロック図の一例を示す図である。
【符号の説明】
【００５０】
１０１：プロジェクタ
１０２：ノートPC
１０３：ノートPC
２０２：仮想リモコン
３０１：送受信部
３０２：表示データ生成部
３０３：表示部
３０４：判定条件記憶部
３０５：条件設定部
３０６：判定部
３０７：コマンド実行部
３０８：判定条件問合せ部
３０９：受信データ記憶部
【図１】
2005292500.tif 000003
【図２】
2005292500.tif 000004
【図３】
2005292500.tif 000005
【図４】
2005292500.tif 000006
【図５】
2005292500.tif 000007
【図６】
2005292500.tif 000008
【図７】
2005292500.tif 000009